(57)【要約】【課題】プラズマディスプレイ装置の駆動電圧を下げることが可能なプラズマディスプレイ装置及びその駆動方法を提供することにある。【解決手段】スキャン電極、サステイン電極及びアドレス電極を備えるプラズマディスプレイパネルと、サステイン区間において第１パルスを前記スキャン電極に供給するスキャン駆動部と、前記サステイン区間において前記第１パルスと交互に供給される第２パルスを前記サステイン電極に供給するサステイン駆動部と、前記サステイン区間において前記第１パルス又は前記第２パルスに対応し、前記第１パルス又は前記第２パルスと反対極性の第３パルスを前記アドレス電極に供給するデータ駆動部とを備える。【選択図】図４ａ
2007047795.tif 000002
【特許請求の範囲】
【請求項１】
スキャン電極、サステイン電極及びアドレス電極を備えるプラズマディスプレイパネルと、
サステイン区間において第１パルスを前記スキャン電極に供給するスキャン駆動部と、
前記サステイン区間において前記第１パルスと交互に供給される第２パルスを前記サステイン電極に供給するサステイン駆動部と、
前記サステイン区間において前記第１パルス又は前記第２パルスに対応し、前記第１パルス及び前記第２パルスと反対極性の第３パルスを前記アドレス電極に供給するデータ駆動部と
を備えることを特徴とするプラズマディスプレイ装置。
【請求項２】
前記第１パルス及び前記第２パルスは、負極性のパルスであり、前記第３パルスは、正極性のパルスであることを特徴とする請求項１に記載のプラズマディスプレイ装置。
【請求項３】
前記第１パルスの電圧の大きさ及び前記第２パルスの電圧の大きさは、サステイン電圧（Ｖｓ）であることを特徴とする請求項２に記載のプラズマディスプレイ装置。
【請求項４】
前記第３パルスの電圧の大きさは、前記第１パルスの電圧の大きさより小さいことを特徴とする請求項３に記載のプラズマディスプレイ装置。
【請求項５】
前記第１パルスの電圧の大きさ及び前記第３パルスの大きさの和は、前記サステイン電圧より大きいことを特徴とする請求項３に記載のプラズマディスプレイ装置。
【請求項６】
前記第３パルスは、前記第１パルス及び前記第２パルスと同期して印加されることを特徴とする請求項２に記載のプラズマディスプレイ装置。
【請求項７】
前記第３パルスは、前記サステイン区間の間に持続的に印加されることを特徴とする請求項２に記載のプラズマディスプレイ装置。
【請求項８】
前記サステイン区間の間に印加される前記第３パルスの数は、前記サステイン区間の間に印加される前記第１パルスの数及び前記第２パルスの数の和と同じであることを特徴とする請求項２に記載のプラズマディスプレイ装置。
【請求項９】
前記第３パルスの周波数は、前記第１パルスの周波数の２倍であることを特徴とする請求項２に記載のプラズマディスプレイ装置。
【請求項１０】
前記スキャン電極と前記サステイン電極との間の間隔は、実質的に１００μｍ〜４００μｍの範囲であることを特徴とする請求項２に記載のプラズマディスプレイ装置。
【請求項１１】
スキャン電極、サステイン電極及びアドレス電極を備えるプラズマディスプレイパネルと、
サステイン区間において負極性の第１パルスを前記スキャン電極に供給し、前記第１パルスと交互する負極性の第２パルスを前記サステイン電極に供給する第１駆動部と、
前記サステイン区間において前記第１パルス及び前記第２パルスに対応し、正極性の第３パルスを前記アドレス電極に供給する第２駆動部と
を備えることを特徴とするプラズマディスプレイ装置。
【請求項１２】
前記第１パルスの電圧の大きさ及び前記第２パルスの電圧の大きさが、サステイン電圧（Ｖｓ）であることを特徴とする請求項１１に記載のプラズマディスプレイ装置。
【請求項１３】
前記第３パルスの電圧の大きさは、前記第１パルスの電圧の大きさより小さいことを特徴とする請求項１２に記載のプラズマディスプレイ装置。
【請求項１４】
前記第１パルスの電圧の大きさ及び前記第３パルスの大きさの和は、前記サステイン電圧より大きいことを特徴とする請求項１２に記載のプラズマディスプレイ装置。
【請求項１５】
前記第３パルスは、前記第１パルス及び前記第２パルスと同期して印加されることを特徴とする請求項１２に記載のプラズマディスプレイ装置。
【請求項１６】
前記第３パルスは、前記サステイン区間の間に持続的に印加されることを特徴とする請求項１２に記載のプラズマディスプレイ装置。
【請求項１７】
前記サステイン区間の間に印加される前記第３パルスの数は、前記サステイン区間の間に印加される前記第１パルスの数及び前記第２パルスの数の和と同じであることを特徴とする請求項１２に記載のプラズマディスプレイ装置。
【請求項１８】
前記第３パルスの周波数は、前記第１パルスの周波数の２倍であることを特徴とする請求項１２に記載のプラズマディスプレイ装置。
【請求項１９】
前記スキャン電極と前記サステイン電極との間の間隔は、実質的に１００μｍ〜４００μｍの範囲であることを特徴とする請求項１２に記載のプラズマディスプレイ装置。
【請求項２０】
リセット期間において、リセットパルスをスキャン電極に供給するステップと、
サステイン区間において負極性の第１パルスを前記スキャン電極に供給するステップと、
前記サステイン区間において負極性の第２パルスを前記第１パルスと交互にサステイン電極に供給するステップと、
前記第１パルス及び前記第２パルスに対応し、正極性の第３パルスをアドレス電極に供給するステップと
を含むことを特徴とするプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【背景技術】
【０００２】
一般に、ディスプレイ装置のうち、プラズマディスプレイ装置は、プラズマディスプレイパネル及びプラズマディスプレイパネルを駆動するための駆動部を備える。
【０００３】
一般に、プラズマディスプレイパネルは、前面パネルと背面パネルとの間に形成された隔壁が１つの放電セルをなすものであって、各放電セル内には、ネオン（Ｎｅ）、ヘリウム（Ｈｅ）又はネオン及びヘリウムの混合気体（Ｎｅ＋Ｈｅ）のような主放電気体と少量のキセノン（Ｘｅ）とを含有する不活性ガスが充填されている。
【０００４】
このような放電セルは、複数個集まって１つのピクセルをなす。例えば、赤色（Ｒｅｄ，Ｒ）放電セル、緑色（Ｇｒｅｅｎ，Ｇ）放電セル、青色（Ｂｌｕｅ，Ｂ）放電セルが集まって、１つのピクセルをなすことである。
【０００５】
そして、このようなプラズマディスプレイパネルは、高周波電圧により放電されるとき、不活性ガスは、真空紫外線（Ｖａｃｕｕｍ  Ｕｌｔｒａｖｉｏｌｅｔ  ｒａｙｓ）を発生し、隔壁間に形成された蛍光体を発光させることにより画像が具現される。このようなプラズマディスプレイパネルは、薄くて軽い構成が可能なので、次世代表示装置として注目されつつある
【０００６】
このようなプラズマディスプレイパネルの駆動方式の場合、パネルの放電のために、高電圧のサステインパルスを用いている。
【０００７】
すなわち、グラウンド電圧を基準に＋Ｖｓ電圧を用いている。このような高電圧を用いて放電を開始し、維持する場合、高電圧のＦＥＴを必要とする。
【０００８】
高電圧ＦＥＴの使用は、ＰＤＰの価格上昇の主な要因となり、高電圧上におけるＰＤＰの駆動の際に駆動エラーを発生することにより、誤放電が発生する可能性が高い。したがって、ＰＤＰの駆動電圧を下げ、かつ低電力下での正常的な駆動のための多様な研究が盛んに行われている。
【０００９】
低電力を利用したＰＤＰの駆動方式には、ネガティブサステイン（ｎｅｇａｔｉｖｅ  ｓｕｓｔａｉｎ）方式がある。
【００１０】
図１は、従来のネガティブサステイン方式の駆動波形を示す図である。
【００１１】
従来、ネガティブサステイン駆動の場合、Ｙ電極及びＺ電極の面放電に先行してＹ電極又はＺ電極とＸ電極との間に対向放電が発生する。前記対向放電により発生した電荷がシード（ｓｅｅｄ）となって、面放電に続く。
【００１２】
ネガティブサステイン駆動の場合、上板電極（Ｙ電極，Ｚ電極）に負（−）の電圧が印加され，Ｘ電極にグラウンド電圧が印加されることから、正（＋）の電荷が上板電極の方向へ移動して上板のＭｇＯ保護膜と衝突することにより、２次電子が放出する。
【００１３】
この２次電子が、次に起きる面放電に影響を及ぼし、面放電のシードの機能を行うことにより、よりスムーズな放電が起きる。
【００１４】
このように、上板電極とＸ電極との電圧差により、上板電極とＸ電極との間に対向放電が発生し、この対向放電による２次電子放出効果の増大により、面放電がよりスムーズに起きるようになる。
【００１５】
しかしながら、このような従来のネガティブサステイン駆動方法は、特に、電極間隔の広いＰＤＰ構造に效果良く駆動させるのは困難である。すなわち、現在、大部分の商用化されたＰＤＰ製品の電極の間隔は、概して５０〜１００μｍの程度であるが、最近では、放電効率を増大させ、駆動特性の安定化のために、電極間隔が略１００μｍ以上のロングギャップ（ｌｏｎｇ  ｇａｐ）構造を利用する。
【００１６】
このとき、従来のネガティブサステイン駆動方法を適用する場合、サステイン電圧（サステインパルスの電圧）を基準電圧以下に下げることができず、ロングギャップ構造のＰＤＰを効率良く又は安定に駆動させ難いという問題があった。
【発明の開示】
【発明が解決しようとする課題】
【００１７】
本発明は、上述の問題点に鑑みてなされたもので、その目的は、プラズマディスプレイ装置の駆動電圧を下げ、低電力下での正常的な駆動が可能なプラズマディスプレイ装置及びその駆動方法を提供することにある。
【課題を解決するための手段】
【００１８】
上記目的を達成すべく、本発明の一実施の形態に係るプラズマディスプレイ装置によれば、スキャン電極、サステイン電極及びアドレス電極を備えるプラズマディスプレイパネルと、サステイン区間において第１パルスを前記スキャン電極に供給するスキャン駆動部と、前記サステイン区間において前記第１パルスと交互に供給される第２パルスを前記サステイン電極に供給するサステイン駆動部と、前記サステイン区間において前記第１パルス又は前記第２パルスに対応し、前記第１パルス又は前記第２パルスと反対極性の第３パルスを前記アドレス電極に供給するデータ駆動部とを備える。
【００１９】
また、本発明の他の一実施の形態に係るプラズマディスプレイ装置によれば、スキャン電極、サステイン電極及びアドレス電極を備えるプラズマディスプレイパネルと、サステイン区間において負極性の第１パルスを前記スキャン電極に供給し、前記第１パルスと交互する負極性の第２パルスを前記サステイン電極に供給する第１駆動部と、前記サステイン区間において前記第１パルス及び前記第２パルスに対応し、正極性の第３パルスを前記アドレス電極に供給する第２駆動部とを備える。
【００２０】
また、本発明のさらに他の一実施の形態に係るプラズマディスプレイ装置の駆動方法によれば、リセット期間において、リセットパルスをスキャン電極に供給するステップと、サステイン区間において負極性の第１パルスを前記スキャン電極に供給するステップと、前記サステイン区間において負極性の第２パルスを前記第１パルスと交互にサステイン電極に供給するステップと、前記第１パルス及び前記第２パルスに対応し、正極性の第３パルスをアドレス電極に供給するステップとを含む。
【発明の効果】
【００２１】
本発明は、スキャン電極及びサステイン電極に負極性のサステインパルスが印加されるとき、これと反対極性の正極性のパルスを印加することによって、負極性のサステインパルスの電圧を下げることができるという効果がある。
【発明を実施するための最良の形態】
【００２２】
以下、本発明の好ましい実施の形態を、添付図面に基づき詳細に説明する。
【００２３】
本発明の一実施の形態に係るプラズマディスプレイ装置によれば、スキャン電極、サステイン電極及びアドレス電極を備えるプラズマディスプレイパネルと、サステイン区間において第１パルスを前記スキャン電極に供給するスキャン駆動部と、前記サステイン区間において前記第１パルスと交互に供給される第２パルスを前記サステイン電極に供給するサステイン駆動部と、前記サステイン区間において前記第１パルス又は前記第２パルスに対応し、前記第１パルス又は前記第２パルスと反対極性の第３パルスを前記アドレス電極に供給するデータ駆動部とを備える。
【００２４】
前記第１パルス及び前記第２パルスは、負極性のパルスであり、前記第３パルスが、正極性のパルスであることが好ましい。
【００２５】
前記第１パルスの電圧の大きさ及び前記第２パルスの電圧の大きさは、サステイン電圧（Ｖｓ）であることが好ましい。
【００２６】
前記第３パルスの電圧の大きさは、前記第１パルスの電圧の大きさより小さいことが好ましい。
【００２７】
前記第１パルスの電圧の大きさ及び前記第３パルスの大きさの和は、前記サステイン電圧より大きいことが好ましい。
【００２８】
前記第３パルスは、前記第１パルス及び前記第２パルスと同期して印加されることが好ましい。
【００２９】
前記第３パルスは、前記サステイン区間の間に持続的に印加されることが好ましい。
【００３０】
前記サステイン区間の間に印加される前記第３パルスの数は、前記サステイン区間の間に印加される前記第１パルスの数及び前記第２パルスの数の和と同じであることが好ましい。
【００３１】
前記第３パルスの電圧周波数は、前記第１パルスの電圧周波数の２倍であることが好ましい。
【００３２】
前記スキャン電極と前記サステイン電極との間の間隔は、実質的に１００μｍ〜４００μｍの範囲であることが好ましい。
【００３３】
本発明の他の一実施の形態に係るプラズマディスプレイ装置によれば、スキャン電極、サステイン電極及びアドレス電極を備えるプラズマディスプレイパネルと、サステイン区間において負極性の第１パルスを前記スキャン電極に供給し、前記第１パルスと交互する負極性の第２パルスを前記サステイン電極に供給する第１駆動部と、前記サステイン区間において前記第１パルス及び前記第２パルスに対応し、正極性の第３パルスを前記アドレス電極に供給する第２駆動部とを備える。
【００３４】
前記第１パルスの電圧の大きさ及び前記第２パルスの電圧の大きさは、サステイン電圧（Ｖｓ）であることが好ましい。
【００３５】
前記第３パルスの電圧の大きさは、前記第１パルスの電圧の大きさより小さいことが好ましい。
【００３６】
前記第１パルスの電圧の大きさ及び前記第３パルスの大きさの和は、前記サステイン電圧より大きいことが好ましい。
【００３７】
前記第３パルスは、前記第１パルス及び前記第２パルスと同期して印加されることが好ましい。
【００３８】
前記第３パルスは、前記サステイン区間の間に持続的に印加されることが好ましい。
【００３９】
前記サステイン区間の間に印加される前記第３パルスの数が、前記サステイン区間の間に印加される前記第１パルスの数及び前記第２パルスの数の和と同じであることが好ましい。
【００４０】
前記第３パルスの周波数は、前記第１パルスの周波数の２倍であることが好ましい。即ち、第３パルスの電圧波形の周波数（電圧周波数）は、第１パルスの電圧波形の周波数（電圧周波数）の２倍であることが好ましい。
【００４１】
前記スキャン電極と前記サステイン電極との間の間隔は、実質的に１００μｍ〜４００μｍの範囲であることが好ましい。
【００４２】
本発明のさらに他の一実施の形態に係るプラズマディスプレイ装置の駆動方法によれば、リセット期間において、リセットパルスをスキャン電極に供給するステップと、サステイン区間において負極性の第１パルスを前記スキャン電極に供給するステップと、前記サステイン区間において負極性の第２パルスを前記第１パルスと交互にサステイン電極に供給するステップと、前記第１パルス及び前記第２パルスに対応し、正極性の第３パルスをアドレス電極に供給するステップとを含む。
【００４３】
以下、本発明の一実施の形態に係る具体的な実施の形態を、添付した図面を参照して説明する。
【００４４】
図２は、本発明の一実施の形態に係るプラズマディスプレイ装置を説明するための図である。
【００４５】
同図に示すように、本発明の一実施の形態に係るプラズマディスプレイ装置は、プラズマディスプレイパネル１００と、このようなプラズマディスプレイパネル１００の電極に所定の駆動電圧を供給するための駆動部、好ましくは、データ駆動部１０１と、スキャン駆動部１０２と、サステイン駆動部１０３とを備える。
【００４６】
ここで、スキャン駆動部１０２及びサステイン駆動部１０３は第１駆動部であり得るし、データ駆動部１０１は第２駆動部であり得る。
【００４７】
ここで、プラズマディスプレイパネル１００は、前面パネル（図示せず）と背面パネル（図示せず）が一定の間隔を隔てて合着され、複数の電極、例えば、スキャン電極Ｙ及びサステイン電極Ｚが複数個形成されることが好ましい。
【００４８】
このようなプラズマディスプレイパネル１００の構造を、添付した図３を参照して更に詳細に説明すれば、次の通りである。
【００４９】
図３は、本発明の一実施の形態に係るプラズマディスプレイ装置におけるプラズマディスプレイパネルの構造の一例を説明するための図である。
【００５０】
同図に示すように、本発明の一実施の形態に係るプラズマディスプレイ装置のプラズマディスプレイパネル１００は、画像がディスプレイされる表示面の前面基板２０１に、スキャン電極（Ｙ）２０２及びサステイン電極（Ｚ）２０３が形成された前面パネル２００と、背面をなす背面基板２１１上に、上記のスキャン電極（Ｙ）２０２及びサステイン電極（Ｚ）２０３と交差するように複数のアドレス電極（Ｘ）２１３が配列した背面パネル２１０とが一定距離を隔てて並列して結合される。
【００５１】
前面パネル２００は、１つの放電空間、すなわち放電セルにおいて相互放電させ、放電セルの発光を維持するためのスキャン電極（Ｙ）２０２及びサステイン電極（Ｚ）２０３、すなわち透明なＩＴＯ物質により形成された透明電極ａ及び金属材質により製作されたバス電極ｂからなるスキャン電極（Ｙ）２０２及びサステイン電極（Ｚ）２０３を備える。
【００５２】
スキャン電極（Ｙ）２０２及びサステイン電極（Ｚ）２０３は、放電電流を制限し、電極対間を絶縁する１つ以上の上部誘電体層２０４により覆われ、上部誘電体層２０４の上面には、放電条件を容易にするために酸化マグネシウム（ＭｇＯ）を蒸着した保護層２０５が形成される。
【００５３】
背面パネル２１０は、複数の放電空間すなわち、放電セルを形成させるためのストライプタイプ（又はウェルタイプ）の隔壁２１２が平行を維持し配列される。また、アドレス放電を行って真空紫外線を発生させる複数のアドレス電極（Ｘ）２１３が隔壁２１２に対して平行に配置される。
【００５４】
背面パネル２１０の上側面には、アドレス放電の際に画像表示のための可視光線を放出するＲ、Ｇ、Ｂ蛍光体２１４が塗布される。アドレス電極（Ｘ）２１３と蛍光体２１４との間には、アドレス電極（Ｘ）２１３を保護するための下部誘電体層２１５が形成される。
【００５５】
ここで、図２では、本発明が適用され得るプラズマディスプレイパネルの一例のみを示して説明したが、本発明が図２の構造のプラズマディスプレイパネルに限定されるものではないことは勿論である。
【００５６】
例えば、図２では、スキャン電極（Ｙ）２０２とサステイン電極（Ｚ）２０３は、それぞれ透明電極ａとバス電極ｂからなるもののみを示しているが、これとは異なり、スキャン電極（Ｙ）２０２とサステイン電極（Ｚ）２０３のうち、少なくとも１つ以上はバス電極ｂのみからなるか、透明電極ａのみからなることも可能である。
【００５７】
また、スキャン電極（Ｙ）２０２及びサステイン電極（Ｚ）２０３が前面パネル２００に含まれ、アドレス電極（Ｘ）２１３は、背面パネル２１０に含まれる構造のみを示して説明しているが、前面パネル２００に全ての電極が形成されるか、又はスキャン電極（Ｙ）２０２、サステイン電極（Ｚ）２０３、アドレス電極（Ｘ）２１３のうち、少なくとも１つの電極が隔壁２１２上に形成されることも可能である。
【００５８】
このような図２の内容を考慮するとき、本発明が適用され得るプラズマディスプレイパネルは、駆動電圧を供給するためのスキャン電極（Ｙ）２０２、サステイン電極（Ｚ）２０３及びアドレス電極（Ｘ）２１３が形成されたものであり、その他の条件は特に限定されない。
【００５９】
ここで、図２の説明を終わり、再び図１の説明に戻る。
【００６０】
スキャン駆動部１０２は、リセット期間にプラズマディスプレイパネル１００のスキャン電極Ｙにセットアップパルス及びセットダウンパルスを供給し、アドレス期間において、スキャンパルスを供給し、サステイン期間において、負極性のサステインパルスの第１パルスを供給する。
【００６１】
サステイン駆動部１０３は、画像を表示するサステイン期間において、上述の第１パルスと交互する負極性のサステインパルスの第２パルスをサステイン電極Ｚに印加する。
【００６２】
データ駆動部１０１は、アドレス期間において、プラズマディスプレイパネル１００のアドレス電極ＸにデータパルスＶｄを供給し、サステイン期間において、上述の第１パルス及び第２パルスと対応する第３パルスをサステイン電極に供給する。これについての詳細な説明は後述する。
【００６３】
図４ａは、本発明の一実施の形態に係るプラズマディスプレイ装置により生成される駆動波形を示す図である。
【００６４】
同図に示すように、本発明の一実施の形態に係るプラズマディスプレイ装置により生成される駆動波形は、サステイン区間においてそれぞれのスキャン電極Ｙ及びサステイン電極Ｚに負極性のサステイン電圧−Ｖｓを有する第１パルス及び第２パルスが印加されるとき、アドレス電極Ｘに正極性の電圧Ｖａを有する第３パルスが、第１パルス及び第２パルスに対応して印加される。上述の負極性のサステイン電圧は、一般に、−１６０Ｖ〜−２００Ｖが印加される。
【００６５】
このとき、スキャン電極Ｙに印加される第１パルスの電圧又はサステイン電極Ｚに印加される第２パルスの電圧と、アドレス電極Ｘに印加される第３パルス電圧との実効電圧差−Ｖｓ−Ｖａの大きさは、前記サステイン電圧Ｖｓより大きくなる。
【００６６】
前記アドレス電極Ｘに印加される第３パルスの周波数は、前記スキャン電極Ｙに印加される第１パルスの電圧又はサステイン電極Ｚに印加される第２パルスの周波数の２倍となる。
【００６７】
また、アドレス電極Ａに印加される第３パルスの数は、前記スキャン電極Ｙに印加される第１パルスの電圧の数及びサステイン電極Ｚに印加される第２パルスの数の和と同じであることが好ましい。
【００６８】
スキャン電極Ｙ及びサステイン電極Ｚに印加される第１パルス及び第２パルスは、同じ極性の電圧すなわち、アドレス電極Ｘに印加される第３パルスの電圧の反対となる負極性のサステイン電圧を印加する。
【００６９】
したがって、スキャン及びサステイン電極に電圧が印加されるとき、アドレス電極には、それと反対極性の正極性の電圧を有する第３パルスが印加されてアドレス電極に対するサステインパルスの電圧を下げることができる。特に、放電効率を増大させ、かつ駆動特性の安定化のために電極間隔が略１００μｍ〜４００μｍの範囲であるロングギャップ構造において、アドレス電極に対するサステインパルスの電圧を基準電圧以下に下げ、プラズマディスプレイパネルをさらに効果良く、かつ安定に駆動させることができる。
【００７０】
図４ｂは、本発明の一実施の形態に係るプラズマディスプレイ装置により生成される駆動波形をさらに詳細に示す図である。
【００７１】
同図に示すように、本発明の一実施の形態に係るプラズマディスプレイ装置により生成される駆動波形は、サステイン区間においてそれぞれのスキャン電極Ｙとサステイン電極Ｚに負極性のサステイン電圧−Ｖｓを有する第１パルス及び第２パルスが印加されるとき、アドレス電極Ｘに正極性の電圧Ｖａを有する第３パルスが印加される。
【００７２】
ここで、第３パルスは、第１パルス及び第２パルスと同期して印加され得る。
【００７３】
スキャン電極とサステイン電極との間の距離は、従来の場合は、通常、６０〜８０μｍが適用され、この間隔が１００〜４００μｍの範囲である場合をロングギャップ又はワイドギャップ構造と言う。このとき、負極性のサステイン電圧−Ｖｓを有するサステインパルスをスキャン電極Ｙ及びサステイン電極Ｚに印加することが、駆動マージンを大きくすることのできる方法として知られている。
【００７４】
しかしながら、電極間隔が広くなれば、必要とされるサステイン電圧の大きさも上昇するが、このとき、本発明の一実施の形態に係るプラズマディスプレイ装置は、アドレス電極Ｘに正極性の電圧Ｖａを有する第３パルスを印加することによって、アドレス電極に対するサステインパルスの電圧を下げることができ、放電を容易にすることができる。
また、その結果、サステイン区間において印加される負極性のサステイン電圧−Ｖｓの大きさを小さくすることができる。
【００７５】
サステイン電極Ｚに印加される第２パルスの電圧とアドレス電極Ｘに印加される第３パルスの電圧の極性が反対になって、両電極間の実効電圧差−Ｖｓ−Ｖａの大きさは、サステイン電圧Ｖｓより大きくなる。これにより、アドレス電極に対するサステインパルスの電圧の電圧を負のサステイン電圧−Ｖｓより小さく下げることができる。
また、その結果、サステイン電圧−Ｖｓの大きさを小さくすることができるようになり、プラズマディスプレイ装置の駆動電圧を下げ、低電力下での正常的な駆動が可能になる。
【００７６】
このとき、アドレスに印加される第３パルスの周波数は、サステイン電極Ｚに印加される周波数の２倍になることを特徴とする。また、このとき、アドレス電極Ｘに印加される第３パルスの電圧の大きさは、スキャン電極Ｘに印加される第１パルスの電圧の大きさより小さいことが好ましい。
【００７７】
図５ａは、本発明の一実施の形態に係るプラズマディスプレイ装置により生成される他の駆動波形を示す図である。
【００７８】
同図に示すように、本発明の一実施の形態に係るプラズマディスプレイ装置により生成される駆動波形は、サステイン区間においてそれぞれのスキャン電極Ｙ及びサステイン電極Ｚに負極性のサステイン電圧−Ｖｓを有する第１パルス及び第２パルスが印加される際に、アドレス電極Ｘに正極性の電圧Ｖａを有する第３パルスが印加される。
【００７９】
すなわち、スキャン電極Ｙに印加される第１パルスとサステイン電極Ｚに印加される第２パルスが印加される間に、アドレス電極Ｘには、正極性の電圧Ｖａを有する第３パルスがサステイン区間の間に持続的に印加される。
【００８０】
上記の負極性のサステイン電圧は、一般に、−１６０Ｖ〜−２００Ｖが印加される。
【００８１】
このとき、スキャン電極Ｙに印加される第１パルスの電圧又はサステイン電極Ｚに印加される第２パルスの電圧と、アドレス電極Ｘに印加される第３パルス電圧との実効電圧差−Ｖｓ−Ｖａの大きさは、前記サステイン電圧Ｖｓより大きくなる。
【００８２】
スキャン電極Ｙ及びサステイン電極Ｚに印加される第１パルス及び第２パルスは、同じ極性の電圧すなわち、アドレス電極Ｘに印加される第３パルスの電圧の反対になる負極性のサステイン電圧−Ｖｓが印加される。
【００８３】
したがって、スキャン及びサステイン電極に電圧が印加されるとき、アドレス電極には、それと反対極性の正極性の電圧を有する第３パルスが印加されてアドレス電極に対するサステインパルスの電圧を下げることができる。
【００８４】
特に、放電効率を増加させ、かつ駆動特性の安定化のために、電極間隔が略１００μｍ〜４００μｍの範囲であるロングギャップ構造において、アドレス電極に対するサステインパルスの電圧を基準電圧以下に下げ、プラズマディスプレイパネルをさらに効率良く、かつ安定に駆動させることができる。
【００８５】
図５ｂは、本発明の一実施の形態に係るプラズマディスプレイ装置により生成される他の駆動波形をさらに詳細に示す図である。
【００８６】
同図に示すように、本発明の一実施の形態に係るプラズマディスプレイ装置により生成される駆動波形は、サステイン区間においてそれぞれのスキャン電極Ｙ及びサステイン電極Ｚに負極性のサステイン電圧−Ｖｓを有する第１パルス及び第２パルスが印加される際に、アドレス電極Ｘに正極性の電圧Ｖａを有する第３パルスが持続的に印加される。
【００８７】
スキャン電極とサステイン電極との間の距離は、従来の場合は、通常、６０〜８０μｍが適用され、この間隔が１００〜４００μｍの範囲である場合をロングギャップ又はワイドギャップ構造と言う。このとき、負極性のサステイン電圧−Ｖｓを有するサステインパルスをスキャン電極Ｙ及びサステイン電極Ｚに印加することが、駆動マージンを大きくすることのできる方法として知られている。
【００８８】
しかしながら、電極間隔が広くなれば、必要とされるサステイン電圧の大きさも上昇するが、このとき、本発明の一実施の形態に係るプラズマディスプレイ装置は、アドレス電極Ｘに正極性の電圧Ｖａを有する第３パルスを持続的に印加することによって、アドレス電極に対するサステインパルスの電圧を下げることができ、放電を容易にすることができる。
また、その結果、サステイン区間において印加される負極性のサステイン電圧−Ｖｓの大きさを小さくすることができる。
【００８９】
サステイン電極Ｚに印加される第２パルスの電圧とアドレス電極Ｘに印加される第３パルスの電圧との極性が反対になって、両電極間の実効電圧差−Ｖｓ−Ｖａの大きさは、サステイン電圧Ｖｓより大きくなる。これにより、アドレス電極に対するサステインパルスの電圧の電圧を負のサステイン電圧−Ｖｓより小さく下げることができる。
また、その結果、サステイン電圧−Ｖｓの大きさを小さくすることができるようになり、プラズマディスプレイ装置の駆動電圧を下げ、低電力下での正常的な駆動が可能になる。
【００９０】
また、このとき、アドレス電極Ｘに印加される第３パルスの電圧の大きさは、スキャン電極Ｘに印加される第１パルスの電圧の大きさより小さいことが好ましい。
【００９１】
本発明は、スキャン電極及びサステイン電極に負極性のサステインパルスが印加されるとき、これと反対極性の正極性のパルスを印加することによって、負極性のサステインパルスの電圧を小さくすることができるという効果がある。
【００９２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００９３】
【図１】従来のサステイン区間でのネガティブサステイン駆動を示す波形図である。
【図２】本発明の一実施の形態に係るプラズマディスプレイ装置を説明するための図である。
【図３】本発明の一実施の形態に係るプラズマディスプレイ装置におけるプラズマディスプレイパネルの構造の一例を説明するための図である。
【図４ａ】本発明の一実施の形態に係るプラズマディスプレイ装置により生成される駆動波形を示す図である。
【図４ｂ】本発明の一実施の形態に係るプラズマディスプレイ装置により生成される駆動波形を更に詳細に説明する図である。
【図５ａ】本発明の一実施の形態に係るプラズマディスプレイ装置により生成される他の駆動波形を示す図である。
【図５ｂ】本発明の一実施の形態に係るプラズマディスプレイ装置により生成される他の駆動波形を更に詳細に説明する図である。
【図３】
2007047795.tif 000003
【図１】
2007047795.tif 000004
【図２】
2007047795.tif 000005
【図４ａ】
2007047795.tif 000006
【図４ｂ】
2007047795.tif 000007
【図５ａ】
2007047795.tif 000008
【図５ｂ】
2007047795.tif 000009